(57)【要約】      （修正有）【課題】病院の病室でも自宅の和室でも自宅のベッドでも野外でも、いずれの場所にても使用可能な構成であり、全体はごく軽量かつ堅固で、加熱装置も嵩張らず、騒音や排気ガスを出さず、鏡や時計などの付属品も充実したポータブル洗面台を提供する。【解決手段】架台がアジャスタ装置ＡＪ付の３基以上の脚を有し、架台と支板と受板６と柱板７の全体が堅固な枠構造をなしており、支板の後部が後方に傾斜されつつ上方に延伸されて柱板７に固着されて鏡９１と時計９２が装着されており、給水ホース３が洗面ボウル２の上端部の直径に略等しい直径にて螺旋状に巻回されているポータブル洗面台を提供する。【選択図】図２
0003147751.tif 000002
【実用新案登録請求の範囲】
【請求項１】
架台と洗面ボウルと洗面ボウルに給水を行う給水蛇口付の給水ホースと洗面ボウル内の水を排水する排水ホースからなるポータブル洗面台において、架台がアジャスタ装置付の３基以上の脚を有し、架台上に、支板と受板と柱板が設けられ、使用者が位置する方向を前方とした場合に、水平方向に延伸され前部が上方に湾曲された受板の水平部分が架台上面に固着され、受板の前部上端に固着された取付板に身体固定用のベルトが装着されており、架台背面に、垂直方向に延伸され上部が後方に傾斜された柱板の下部が固着され、水平部分と前方立設部分と後方立設部分が一体として構成されている支板の水平部分に洗面ボウルが固定され、支板の前方立設部分が上方に延伸されて取付板を介して受板の前方上部に固着され、支板の後方立設部分が後方に傾斜されつつ上方に延伸されて柱板に固着され、架台と支板と受板と柱板の全体が堅固な枠構造をなしており、洗面ボウルの底部に排水ホースが接続される排水孔を有し、洗面ボウルの側面にオーバーフローホースが接続されるオーバーフロー排水孔を有し、給水ホースが洗面ボウルの上端部の直径に略等しい直径にて螺旋状に巻回されて洗面ボウルの上端部辺縁に固定されていることを特徴とするポータブル洗面台。
【請求項２】
給水ホースの一部に電気を熱源とする加熱装置が装着されていることを特徴とする請求項１に記載のポータブル洗面台。
【請求項３】
給水ホースがシリコンゴムからなるものであることを特徴とする請求項１あるいは請求項２に記載のポータブル洗面台。
【請求項４】
洗面ボウルの上端部において螺旋状に巻回されている給水ホースがガード体に防護されていることを特徴とする請求項１あるいは請求項２あるいは請求項３に記載のポータブル洗面台。
【請求項５】
架台に装着された支板に鏡あるいは時計あるいは鏡と時計の両方が装着されていることを特徴とする請求項１あるいは請求項２あるいは請求項３あるいは請求項４に記載のポータブル洗面台。
【考案の詳細な説明】
【技術分野】
【０００１】
本考案は、ポータブル洗面台に関するものであり、さらに詳細には、架台がアジャスタ装置付の３基以上の脚を有し、架台上に、支板と受板と柱板が設けられ、使用者が位置する方向を前方とした場合に、水平方向に延伸され前部が上方に湾曲された受板の水平部分が架台上面に固着され、受板の前部上端に固着された取付板に身体固定用のベルトが装着されており、架台背面に、垂直方向に延伸され上部が後方に傾斜された柱板の下部が固着され、水平部分と前方立設部分と後方立設部分が一体として構成されている支板の水平部分に洗面ボウルが固定され、支板の前方立設部分が上方に延伸されて取付板を介して受板の前方上部に固着され、支板の後方立設部分が後方に傾斜されつつ上方に延伸されて柱板に固着され、架台と支板と受板と柱板の全体が堅固な枠構造をなしており、洗面ボウルの底部に排水ホースが接続される排水孔を有し、洗面ボウルの側面にオーバーフローホースが接続されるオーバーフロー排水孔を有し、給水ホースが洗面ボウルの上端部の直径に略等しい直径にて螺旋状に巻回されて洗面ボウルの上端部辺縁に固定されていることを特徴とするポータブル洗面台に関するものである。
【背景技術】
【０００２】
ベッドから洗面所までの歩行が困難な患者や、あるいは洗面所のない野外などにおいて、洗面ボウルと給排水機構を備えた簡易な携行可能な洗面台は、従来から各種のタイプのものが発明・考案されている。そのうちの一部を下記特許文献１〜４に示す。
【特許文献１】特開平９‐１１７３２１号公報
【特許文献２】特開２００１‐２９２８３６号公報
【特許文献３】特開２００３−３８３６９号公報
【特許文献２】実開平７‐３４５９号公報
【考案の開示】
【考案が解決しようとする課題】
【０００３】
上記特許文献１〜４の発明・考案はいずれも洗面ボウル、給水ホース、給水蛇口、排水ホースを備えており、上記特許文献１の発明は加熱用のボイラも備えている。しかし、加熱用ボイラには燃料が必要であり、また排煙や騒音の問題もあるので、屋外用としては問題ないが、室内用、特に静寂さを求められる病室などには適用困難である。
【０００４】
また、上記特許文献２〜４の発明・考案は、いずれもキャスタ付の台部を有しているが、このような構成は、病院などでベッドに寝ている患者のためには最適かもしれないが、例えば自宅にて、畳の部屋に蒲団を敷いて寝ている患者、あるいはベッドでも、病院のベッドのように下部空間が広くないベッドを用いている患者においては使用できない。上記特許文献１の発明においても、下部にはタンクやボイラなどの嵩張る部品が載置されていて、上記の様な状況での使用は不可能である。
【０００５】
以上の様な点から、本発明の課題を、以下のように設定した。
＜課題１＞
病院の病室でも自宅の和室でも自宅のベッドでも野外でも、いずれの場所にても使用可能な構成とする。そのため、全体はごく軽量とするも携行や使用の際に不安定とならないような堅固な構造的枠組みを備えたものとする。
＜課題２＞
加熱装置は、ボイラなどの嵩張るもの、騒音や排気ガスを出すものは避ける。また、電源のないところにても、冷水をある程度の温度にまで温水化可能な構成を考える。
＜課題３＞
使用状況を考えて、付属品の充実を図る。例えば、身体位置の保持が不安定な人に対しては身体の固定具が必要となるし、洗面や長髪や髭剃りを考えると鏡がほしい。また、最近は時計のない部屋も多く、病人においては腕時計も煩わしく、携帯電話なども電源オフ状態になることを考えると、時計もほしい。
【課題を解決するための手段】
【０００６】
本考案は、上記課題を解決するためになされたものであって、以下の解決手段を提供する。
＜解決手段１＞
架台と洗面ボウルと洗面ボウルに給水を行う給水蛇口付の給水ホースと洗面ボウル内の水を排水する排水ホースからなるポータブル洗面台において、架台がアジャスタ装置付の３基以上の脚を有し、架台上に、支板と受板と柱板が設けられ、使用者が位置する方向を前方とした場合に、水平方向に延伸され前部が上方に湾曲された受板の水平部分が架台上面に固着され、受板の前部上端に固着された取付板に身体固定用のベルトが装着されており、架台背面に、垂直方向に延伸され上部が後方に傾斜された柱板の下部が固着され、水平部分と前方立設部分と後方立設部分が一体として構成されている支板の水平部分に洗面ボウルが固定され、支板の前方立設部分が上方に延伸されて取付板を介して受板の前方上部に固着され、支板の後方立設部分が後方に傾斜されつつ上方に延伸されて柱板に固着され、架台と支板と受板と柱板の全体が堅固な枠構造をなしており、洗面ボウルの底部に排水ホースが接続される排水孔を有し、洗面ボウルの側面にオーバーフローホースが接続されるオーバーフロー排水孔を有し、給水ホースが洗面ボウルの上端部の直径に略等しい直径にて螺旋状に巻回されて洗面ボウルの上端部辺縁に固定されていることを特徴とするポータブル洗面台。
＜解決手段２＞
給水ホースの一部に電気を熱源とする加熱装置が装着されていることを特徴とする解決手段１に記載のポータブル洗面台。
＜解決手段３＞
給水ホースがシリコンゴムからなるものであることを特徴とする解決手段１あるいは解決手段２に記載のポータブル洗面台。
＜解決手段４＞
洗面ボウルの上端部において螺旋状に巻回されている給水ホースがガード体に防護されていることを特徴とする解決手段１あるいは解決手段２あるいは解決手段３に記載のポータブル洗面台。
＜解決手段５＞
架台に装着された支板に鏡あるいは時計あるいは鏡と時計の両方が装着されていることを特徴とする解決手段１あるいは解決手段２あるいは解決手段３あるいは解決手段４に記載のポータブル洗面台。
【考案の効果】
【０００７】
本考案の解決手段１の考案によれば、架台がアジャスタ装置付の３基以上の脚を有しているので、病院の病室でも自宅の和室でも自宅のベッドでも野外でも、いずれの場所にても使用可能である。すなわち、病室や自宅の和室や自宅のベッドで使用の場合には、３基以上の脚を寝具の下半身側に載置すれば、患者は上半身を起こすだけで使用可能である。この場合、高さはアジャスタ装置にて自在に調節可能である。また、給水タンクや排水タンクなど嵩張り且つ重いものがある場合にはそれらを装置外に配置することによって全体は極軽量になるので、寝具の上に載置することが可能となる。
【０００８】
本考案の解決手段１の考案によれば、架台上に、支板と受板と柱板が設けられ、使用者が位置する方向を前方とした場合に、水平方向に延伸され前部が上方に湾曲された受板の水平部分が架台上面に固着され、受板の前部上端に固着された取付板に身体固定用のベルトが装着されているので、身体の姿勢の安定しない患者においても、ベルトで身体を固定することによって、安定的に先顔、歯磨き、髭剃りなどを行うことが可能となる。
【０００９】
本考案の解決手段１の考案によれば、架台上に、支板と受板と柱板が設けられ、使用者が位置する方向を前方とした場合に、水平方向に延伸され前部が上方に湾曲された受板の水平部分が架台上面に固着され、受板の前部上端に固着された取付板に身体固定用のベルトが装着されており、架台背面に、垂直方向に延伸され上部が後方に傾斜された柱板の下部が固着され、水平部分と前方立設部分と後方立設部分が一体として構成されている支板の水平部分に洗面ボウルが固定され、支板の前方立設部分が上方に延伸されて取付板を介して受板の前方上部に固着され、支板の後方立設部分が後方に傾斜されつつ上方に延伸されて柱板に固着され、架台と支板と受板と柱板の全体が堅固な枠構造をなしているので、ごく軽量であっても全体の構成は緊密で変形に強く、携行や使用の際にも不安定とならない。
【００１０】
ここで、水が満たされた際に最も重い部材となる洗面ボウルを一旦支板にて支え、さらにその支板を、前方を支える受板と後方を支える柱板にて枠構造を形成して架台に装着しているのは、次のような理由による。すなわち、洗面ボウルを架台に直接装着した場合、架台全体の高さをある程度高くせざるをえない。要するに、使用者がベッドあるいは床の上に上半身を起こして洗面ボウルに顔をかがめた場合に、手で洗面ボウル内の水を掬って顔を洗う作業に相応しい程度に洗面ボウルの高さを設定する必要があり、もし洗面ボウルが架台に直接装着されていれば、架台の高さもそれに合わせなければならない。
【００１１】
しかるに、架台そのものを高くすれば、使用者が洗面ボウルの上に顔を伏せて両手で顔を洗う動作をした場合に、使用者の両肘が架台に接触しやすく、使いづらい構成となる。また、病院や自宅で、使用者が寝巻きなどの袂のあるものを着ている場合、使用者の袂が架台に引っかかって架台が動き、洗面ボウル内の水がこぼれる原因ともなりかねない。
【００１２】
したがって、架台の高さはできるだけ低く抑え、洗面ボウルのみを適切な高さに配するために、洗面ボウルが直接に架台に装着されるのではなく、まず支板によって洗面ボウルを支え、さらにこの支板を受板と柱板が枠構造を形成して架台に緊密に連結されているという構成を考えた。この構成は、架台全体の高さを低く抑えられる結果として、全体の軽量化ももたらし、さらに材料費の節約による低コスト化も実現できる。
【００１３】
また、この構成によれば、柱板がやや後方に傾斜しながら上方に延伸され、この延伸部分に沿うように洗面ボウルを載置した支板が上方にて密着するように結合されているので、堅固な枠構造をなしながらも柱板が板バネのような働きを行い、多少の振動はこの部分にて吸収されるので、例えば使用者の身体の一部が洗面ボウルに触れても、振動がこの部分にて吸収されて全体の振動は抑えられ、洗面ボウル内の水がこぼれるようなことがない。
【００１４】
以上要するに、架台と支板と受板と柱板の全体を堅固かつ緊密な枠構造とすることにより、架台の高さを低く抑えることができるとともに全体を安定させ、持ち運び時も使用時にも非常に使い勝手がよく、軽量かつ堅固で、安価に製造でき、多少の振動も吸収できる構成のポータブル洗面台とすることができた。
【００１５】
本考案の解決手段１の考案によれば、洗面ボウルの底部に排水ホースが接続される排水孔を有し、洗面ボウルの側面にオーバーフローホースが接続されるオーバーフロー排水孔を有しているので、洗面ボウルから水が溢れることなく使用可能である。また、排水ホースとオーバーフローホースは、室内や近傍に排水孔がある場合には延伸して該排水孔に接続することにより、排水タンクなしで使うことができる。室内や近傍に排水孔がない場合には、装置近傍に配置した排水タンクに排水ホースとオーバーフローホースを接続すればよい。
【００１６】
本考案の解決手段１の考案によれば、給水ホースが洗面ボウルの上端部の直径に略等しい直径にて螺旋状に巻回されて洗面ボウルの上端部辺縁に固定されているので、特別な加熱装置がない場合にても、ある程度冷水を温水化することが可能である。すなわち、給水が冷水の場合、給水蛇口を開いて給水蛇口から水が出たところで給水蛇口を閉じ、給水ボウル内の水を一旦排水する。
【００１７】
この状態においては、水は洗面ボウルの上端部の直径に略等しい直径にて螺旋状に巻回された給水ホース部分に滞留したままであり、数分〜十数分程度この状態にて放置することによって巻回された給水ホース部分が室温にて温められ、この部分の冷水もある程度温水化されるので、しかるのちに給水蛇口を開くことにより、ある程度温水化された水が洗面ボウル内に給水される。給水ホースの巻数を増やすことによって、先顔に必要な水量程度の温水は確保可能である。
【００１８】
なお、巻回された給水ホース部分を有しない場合にても、洗面ボウルに貯水することにより同様の効果を得られるのであるが、洗面ボウルに貯水した場合には、過失により装置が傾くと水がこぼれる可能性が多分にある。しかし、巻回された給水ホース部分に貯水する場合には、給水蛇口は閉じられているので、水が装置外にこぼれるおそれはまったくなく、極めて安全に使用することができる。また、巻回された給水ホース部分は閉じられた状態なので、この部分をストーブなどの熱源に近づけることにより、迅速な温水化が促される。
【００１９】
さらに、副次的な効果として、巻回された給水ホース部分が洗面ボウルの上端部辺縁に固定されているので、結果として洗面ボウルの上端部がせりあがった状態となり、洗面ボウル内の水が外部にこぼれにくくなる。これは、不安定な寝具上に載置する場合には、非常に使い勝手の良い効果をもたらすものである。
【００２０】
本考案の解決手段２の考案によれば、給水ホースの一部に電気を熱源とする加熱装置が装着されているので、ボイラのように嵩張らず、且つ排気ガスや騒音も発しないので、病院や自宅においても安全且つ快適に用いることが可能である。
【００２１】
電気を熱源とする加熱装置は、架台に装着する形で設けても良く、巻回された給水ホース部分に設けても良い。巻回された給水ホース部分に設けた場合には、給水ホースのかなり長い延長に満遍なく加熱することも可能となるので、極めて合理的である。巻回された給水ホース部分に設ける場合には、コントロールボックスを別に設ける。
【００２２】
本考案の解決手段３の考案によれば、給水ホースがシリコンゴムからなるものであるので、熱水に対して耐熱性があり、ホースメンテナンスの間隔が大幅に長くなる。すなわち、当初から熱水を給水する場合や加熱装置を設けて熱水を給水する場合には、給水ホースをシリコンゴムからなるものとすることにより、耐熱性において最適の効果が得られるものである。
【００２３】
本考案の解決手段４の考案によれば、洗面ボウルの上端部において螺旋状に巻回されている給水ホースがガード体に防護されているので、巻回されている給水ホースがばらばらになることなく安定的に洗面ボウルの上端部に固定されることができる。なお、給水ホースに熱水が供給される場合には、ガード体の材質は、ある程度の耐熱性を有し、さらにはある程度の断熱性も有するものであることが望ましい。
【００２４】
本考案の解決手段５の考案によれば、架台に装着された支板に鏡が装着されているので、洗面や歯磨き、あるいは髭剃りの際などに極めて便利である。あるいは時計が装着されている場合には、時計のない部屋や携帯電話を使えない部屋において、時刻を知るのに便利である。
【考案を実施するための最良の形態】
【００２５】
本考案を実施するための最良の形態について、図面を参照しながら詳細に説明する。
【実施例１】
【００２６】
＜実施例１の構成＞
図１は本考案の実施例１のポータブル洗面台Ｐの右側面図、図２は外観斜視図である。本考案の実施例１のポータブル洗面台Ｐは、架台１と洗面ボウル２、給水蛇口３２付の給水ホース３、洗面ボウル２の底面に設けられた排水孔２２から延伸された排水ホース４、洗面ボウル２が固着されている支板５、支板５を架台１に枠構造にて固定している受板６と取付板６３と柱板７、給水ホース３の一部に装着されている加熱装置８、そして、柱板７に装着されている鏡９１と時計９２から構成されている。
【００２７】
架台１は、図８ｂに見るように、４基の脚１１１、１１２、１１３、１１４、脚１１１と１１２を上端部にて一体に連結している梁１１５、脚１１３と１１４を上端部にて一体に連結している梁１１６、さらに、梁１１５と梁１１６を一体に連結している連結部材１１７、１１８、脚１１３と脚１１４の間に渡設されている後板１１９から構成されている。
【００２８】
脚１１１と梁１１５及び脚１１２と梁１１５の連結部分は滑らかな曲線をなし、脚１１３と梁１１６及び脚１１４と梁１１６の連結部分は滑らかな曲線をなし、使用者の衣服の一部などが引っかからないような構成とされている。また、連結部材１１７、１１８は夫々が中央寄りに配置されていて、架台１の右側面上方及び左側面上方には空間が生じるように構成されており、この部分に使用者の両手の肘の部分が位置しても、架台１に引っかかることのないように構成されている。
【００２９】
脚１１１、１１２、１１３、１１４には、夫々アジャスタ装置ＡＪが装着されていて、高さが自在に調節できるようになっている。また、アジャスタ装置ＡＪの下部にはゴム製キャップＧが嵌められていて、ポータブル洗面台Ｐ全体が、不安定な寝具上にも安定的に載置できるように構成されている。
【００３０】
実施例１のポータブル洗面台Ｐにおいては、架台１を構成する各部材は、後板１１９を除いてアルミなどの軽量の金属製の角パイプであるが、合成樹脂性、あるいは木製としてもなんら問題はない。また、形状も、他の断面形状のパイプ、例えば丸パイプや六角パイプでも良いが、上面に当たる部分、すなわち、梁１１５、１１６の上面及び連結部材１１６、１１７の上面は平面状である方が望ましい。
【００３１】
また、後板１１９は平板状で、背面が脚１１３、１１４の背面と同一平面をなすように渡設されている。後板１１９の材質も、実施例１のポータブル洗面台Ｐにおいてはアルミなどの軽量の金属製であるが、合成樹脂性製、あるいは木製などとすることが可能である。
【００３２】
梁１１５、１１６の上面の一部及び連結部材１１７の上面には平板状の受板６１が固着され、梁１１５、１１６の上面の一部及び連結部材１１８の上面には平板状の受板６２が固着され、受板６１、６２は２枚で受板６を構成している。固着方法は、螺着あるいは溶着あるいは接着等、堅固に固着できる方法であればどのような方法でも良い。
【００３３】
受板６１、６２は夫々架台１上に水平に固着されているが、図２、図８ａに見るように、前方部が上方に曲折されて、受板６１、６２の上端部には取付板６３が固着されている。受板６１、６２の上方に曲折された部分はやや前方に傾斜するように延伸されている。取付板６３は平板で、右端に長孔６３ａが、左端に長孔６３ｂが、夫々穿設されている。
【００３４】
図６に見るように、取付板６３の長孔６３ａにはベルトＢ１の端部が、長孔６３ｂにはベルトＢ２の端部が、夫々装着固定されている。ベルトＢ１、Ｂ２は使用者（図示せず）が身体を固定するための構成で、ベルトＢ１の自由端には面ファスナＢ３が、ベルトＢ２の自由端には面ファスナＢ４が、夫々縫着されており、使用者はベルトＢ１、Ｂ２を腰に廻して面ファスナＢ３、Ｂ４を係合させ、これにより身体を固定してポータブル洗面台Ｐを用いることができる。なお、ベルトＢ１、Ｂ２の固定方法は、面ファスナＢ３、Ｂ４以外にも、ホック式あるいはバックル式など様々なものが考え得るのは当然のことである。
【００３５】
後板１１９の背面中央及び梁１１６の背面中央には柱板７の下端部が固着されている。固着方法は、螺着あるいは溶着あるいは接着等、堅固に固着できる方法であればどのような方法でも良い。柱板７は平板状で上方に延伸され、上端部は略９０°後方に曲折されて把手７１が装着されている。柱板７は、上方に向かうに従い僅かに後方に傾斜するように構成されている。
【００３６】
５は洗面ボウル２が固着される支板で、図７ａに示すように後方立設部分５１、水平部分５２、前方立設部分５３がすべて一体に構成されている。支板５は平板の両側面を内側に円弧状に折り曲げられて形成されていて、折り曲げ部分ＣＶとなっている。図７ａに示すように前端部にては折り曲げ部分ＣＶが平らに潰され、また後端部にても端部が平らに潰されて、折り曲げ部分ＣＶの一部が切断されている。
【００３７】
前端部と後端部の折り曲げ部分ＣＶが平らに潰されているのは、この部分に服やタオルなどが引っかからないようにとの配慮である。なお、支板５が折り曲げ部分ＣＶを有するのは、支板５は水が蓄えられた際にはかなりの重量となる洗面ボウル２を支えるための部材であるという理由による。すなわち、折り曲げ部分ＣＶを形成することにより、曲げ圧力に強い構成としているものである。
【００３８】
図７ａに示すように、支板５の後方立設部分５１の上端部やや下方には円孔Ｈ２が穿設されているが、これは給水蛇口３２（図１、図２参照）の端部を挿通するためのものである。また、後方立設部分５１の上端部には螺子孔ｈ１と円孔ｈ２が穿設されているが、螺子孔ｈ１は柱板７を螺着するための構成であり、円孔ｈ２は止水栓３３の上端部のリング３３ａを装着するための構成である。
【００３９】
さらに、支板５の水平部分５２の中央やや後寄りには円孔Ｈ１が穿設され、周囲に螺子孔ｈ３〜ｈ６が穿設されている。円孔Ｈ１は洗面ボウル２の排水口２２を装着するための構成であり、螺子孔ｈ３〜ｈ６は洗面ボウル２の底面を支板５に固着するための構成である。また、支板５の前方立設部分５３の上端部には螺子孔ｈ７、ｈ８が穿設されているが、これは、支板５に取付板６３を螺着するためのものである。
【００４０】
支板５は、螺子孔ｈ７、ｈ８によって取付板６３の中央に前方立設部分５３の上端部が螺着され、螺子孔ｈ１によって柱板７の中央よりやや上方に後方立設部分５１の上端部が螺着されることにより、連結部材１１７、１１８及び柱板７と枠構造を構成する（図１参照）。すなわち、取付板６３の右端近傍には連結部材１１７の前端部が螺着され、取付板６３の左端近傍には連結部材１１８の前端部が螺着されるので（図２参照）、支板５、取付板６３、連結部材１１７、１１８、柱板７が全体として枠構造を形成するのである。なお、支板５の後方立設部分５１は、給水蛇口３２によっても柱板７に強固に固着される（図１参照）。
【００４１】
支板５の水平部分５２の中央やや後寄りには洗面ボウル２が固着されている。洗面ボウル２の本体２１は金属製でも合成樹脂製でも良い。２１ａは洗面ボウル２の上端部辺縁である。洗面ボウル２には、底面中央に排水孔２１ｂが穿設されており（図２参照）、排水孔２１ｂには排水口２２が装着されている（図４ａ、図４ｂ参照）。また洗面ボウル２の側面にはオーバーフロー排水孔２１ｃが穿設されており（図２、図３参照）、オーバーフロー排水口２３が装着されている。
【００４２】
図４ａ、図４ｂに排水口２２の詳細を示す。排水口２２は、排水孔２１ｂに上部を嵌入された金属製のニップル２２１、ゴム製のパッキン２２２、金属製の押え板２２３、ニップル２２１に軟質樹脂製の排水ホース４の上部を固着するためのナット２２４から構成されている。
【００４３】
ニップル２２１は本体２２１ａが円筒形状で、上部に円形のフランジ２２１ｅが突設され、中心に上部が拡がった漏斗状の円孔２２１ｂを有している。また、ニップル２２１は下部が内筒２２１ｃ、外筒２２１ｄの２重構成となっており、内筒２２１ｃと外筒２２１ｄの間には円筒形状の間隙２２１ｆが形成されている。内筒２２１ｃの外側面には段部が、外筒２２１ｄの外側面には螺子山が夫々形成されている。
【００４４】
パッキン２２２は正方形状で、中央に円孔２２２ａが穿設されている。また、押え板２２３は中央がやや下方に突出された正方形状で、中央に円孔２２３ａが穿設されている。円孔２２２ａ、円孔２２３ａは共に洗面ボウル２の排水孔２１ｂと同径である。また、支板５の水平部分５２に穿設されている円孔Ｈ１も円孔２２２ａ、円孔２２３ａ、排水孔２１ｂと同径である。
【００４５】
排水口２２の組付構成は図４ａ、図４ｂに示すとおりである。すなわち、ニップル２２１のフランジ２２１ｅより上部が洗面ボウル２の排水孔２１ｂとパッキン２２２の円孔２２２ａに嵌入され、フランジ２２１ｅより下部が支板５の円孔Ｈ１と押え板２２３の円孔２２３ａに嵌入される。また、内筒２２１ｃと外筒２２１ｄの間の間隙２２１ｆに排水ホース４の上端部が圧入され、ニップル２２１の下部全体がナット２２４にて締結されて排水ホース４が脱落しないように構成される。なお、排水ホース４の脱落は、ニップル２２１の内筒２２１ｃの外側面の段部にても防止される。
【００４６】
そして、洗面ボウル２の本体２１の底面、パッキン２２２、ニップル２２１のフランジ２２１ｅ、支板５の水平部分５２の本体５２ａ（図４ｂ参照）、押え板２２３の全体が、４組のボルト・ナット２２５、２２５、２２５、２２５にて強固に締結されている。排水口２２全体の水密は、パッキン２２２により保障される。
【００４７】
図３にオーバーフロー排水口２３の詳細を示す。洗面ボウル２の本体２１の側面上部にはオーバーフロー排水孔２１ｃが穿設され、オーバーフロー排水孔２１ｃにはオーバーフロー蛇口２３１の基部２３１ａが嵌入されている。基部２３１ａには円形のフランジ２３１ｂが突設されていて、フランジ２３１ｂと洗面ボウル２の本体２１の間にはゴム製のパッキン２３２が挟着されている。
【００４８】
また、本体２１の内側にてはゴム製のパッキン２３３を介して押え板２３４が基部２３１ａに嵌め着けられ、さらに基部２３１ａの後端部に刻切された螺子山にナット２３５が螺着されている。したがって、オーバーフロー蛇口２３１は、ナット２３５により洗面ボウル２の本体２１の側面上部に強固に固着されている。また、オーバーフロー排水口２３の水密はパッキン２３２、２３３により保障される。
【００４９】
また、オーバーフロー蛇口２３１の先端部２３１ｃには、ソケット２４１を介してオーバーフローホース２４が装着されている。これにより、オーバーフロー蛇口２３１の調節次第で、洗面ボウル２内の水（図示せず）をオーバーフローホース２４を介して洗面ボウル２外に排水することができる構成となっている。
【００５０】
洗面ボウル２の上端部辺縁２１ａには、給水ホース３を上端部辺縁２１ａの直径と同程度の直径に複数回巻回した巻回部３１が嵌着されている。
給水ホース３はシリコンゴム製で、巻回部３１の給水ホース３全体がやはりシリコンゴム製のガード体３１１に被覆防護され、ガード体３１１の下部が上端部辺縁２１ａに嵌着されることにより、巻回部３１全体は洗面ボウル２上に安定的に固着されている。
【００５１】
図５ａには、給水ホース３の全体構成を模式的に示す。矢印は給水方向を示す。８はポータブル洗面台Ｐの構成外の図示しない水源から給水ホース３にて給水される水を加熱する加熱装置である。加熱装置８は、図２、図８ａに見られるように受板６１、６２を挟んで連結部材１１７、１１８上に固定されており、内部に通電により発熱する電熱線（図示せず）とサーモスタット（図示せず）を有し、加熱装置８内の水を適当な水温に加熱する。水温はダイアル８１にて調節することができる。なお、８２は作動ランプ、８３は電源コードである。
【００５２】
加熱装置８にて加熱された水はガード体３１１に被覆防護された巻回部３１に送水され、さらに支板５と柱板７に装着された給水蛇口３２から洗面ボウル２に注がれる。なお、図５ｂは電熱線Ｄを巻回部３１０内部に設けた構成であり、この場合には巻回部３１０にて巻回されている給水ホース３０の総延長に亘って加熱が行われるので、熱効率は向上する。但し、温度調節によってはガード体３１２自体が熱くなるので、ガード体３１２をさらに断熱材（図示せず）によって被覆してもよい。なお、８０はダイアル８０１と作動ランプ８０２を備えたコントロールボックスであり、８０３は電源コードである。この場合は、電熱線Ｄとコントロールボックス８０を合わせたものが加熱装置となる。
【００５３】
図１、図２にて、９１は柱板７の上部に螺着された鏡であり、９２はさらにその上部に螺着された時計である。柱板７が適度な傾斜をもって後方に傾いているので、使用者（図示せず）は、鏡９１と時計９２を洗面姿勢にて楽に見ることができる。また、３３は支板５の後方立設部分５１の上端部に穿設された円孔ｈ２（図８ａ参照）に装着された止水栓である。
【００５４】
＜実施例１の作用＞
実施例１のポータブル洗面台Ｐを使用する際には、使用者（図示せず）は床上あるいは寝具上に座した姿勢にてポータブル洗面台Ｐに対面する。
なお、使用前に、給水ホース３を水源（図示せず）に、排水ホース４とオーバーフロー排水ホース２４を排水装置（図示せず）に接続しておく。水源としては、水道蛇口でも良いし給水タンク（図示せず）を用いても良い。その他、給水機能を有するものであれば何でも良い。また、排水装置も、家庭や病院の排水口でも良いし排水タンク（図示せず）でも良い。その他、排水機能を有するものであれば何でも良い。
【００５５】
次に、温水が必要な場合には、加熱装置８のダイアル８１をオンにし、適当な温度に調節する。そして、止水栓３３にて洗面ボウル２の排水孔２１ｂを閉塞し、給水蛇口３２を開栓すれば、加熱装置８にて加熱された温水が給水蛇口３２から洗面ボウル２内に給水貯留される。この際、オーバーフロー排水口２３のオーバーフロー蛇口２３１を開栓状態にしておけば、洗面ボウル２のオーバーフロー排水孔２１ｃに達した水はオーバーフローホース２４に排水されるので、洗面ボウル２から溢れる心配がない。水を洗面ボウル２内に給水貯留する必要のない場合には洗面ボウル２の底面の排水孔２１ｂを開栓状態とする。
【００５６】
洗面ボウル２内に給水貯留された水にて顔を洗う場合にも、洗面ボウル２の上端部に嵌着された巻回部３１によって、洗面ボウル２外に水が溢れる心配がなく、快適に洗面が可能である。もし水位をさらに高くしたい場合には、オーバーフロー蛇口２３１を閉栓状態にして給水すれば、望みの水位を得ることができる。
【００５７】
使用が終了すれば、止水栓３３を排水孔２１ｂより脱抜すれば、洗面ボウル２内の水は排水ホース４を経由してすべて排水される。その後は、把手７１を持ってポータブル洗面台Ｐを床上あるいは寝具上から適宜の場所に移動させれば良い。
【００５８】
なお、使用にあたって、ポータブル洗面台Ｐの洗面ボウル２の高さが高すぎるあるいは低すぎる場合には、脚１１１〜１１４に装着されているアジャスタ装置ＡＪ、ＡＪ、……を操作して、適当な高さに調節する。アジャスタ装置ＡＪ、ＡＪ、……は脚１１１〜１１４に個別に装着されているので、ポータブル洗面台Ｐを載置する場所が傾斜していても適宜対応することができる。
【産業上の利用可能性】
【００５９】
本考案のポータブル洗面台は、従来のポータブル洗面台が病院のベッドでの使用を前提として考えられていたのに対し、自宅の和室やベッドにおいても、むろん病院のベッドにおいても、さらには野外においても使用可能なように構成されている点に大きな特徴がある。すなわち軽量にして堅固であり、簡単に持ち運べ、寝具上にも載置が可能である。また、構造が簡単なので極めて安価に量産できる点も広範な普及が望める要因であると考える。
【図面の簡単な説明】
【００６０】
【図１】本考案の実施例１のポータブル洗面台の一部を切欠した右側面図である。
【図２】本考案の実施例１のポータブル洗面台の外観斜視図である。
【図３】本考案の実施例１のポータブル洗面台のオーバーフロー排水口の構成を説明する縦断面説明図である。
【図４】（ａ）本考案の実施例１のポータブル洗面台の洗面ボウルの底面に装着された排水口の平面図である。      （ｂ）図４ａのＡ−Ａ線断面図である。
【図５】（ａ）本考案の実施例１のポータブル洗面台の給水ホースと加熱装置の構成を説明するための模式図である。    （ｂ）本考案の実施例１のポータブル洗面台の給水ホースと加熱装置の別の構成を説明するための模式図である。
【図６】本考案の実施例１のポータブル洗面台の身体固定用のベルトの構成を説明するための説明図である。
【図７】（ａ）本考案の実施例１のポータブル洗面台の支板の外観斜視図である。    （ｂ）図７ａのＢ−Ｂ線断面図である。    （ｃ）図７ａのＣ−Ｃ線断面図である。    （ｄ）図７ａのＤ−Ｄ線断面図である。
【図８】（ａ）本考案の実施例１のポータブル洗面台の受板、取付板、柱板の構成を説明するための説明図である。    （ｂ）本考案の実施例１のポータブル洗面台の架台の構成を説明するための説明図である。
【符号の説明】
【００６１】
１        架台
１１１    脚
１１２    脚
１１３    脚
１１４    脚
１１５    梁
１１６    梁
１１７    連結部材
１１８    連結部材
１１９    後板
２        洗面ボウル
２１      本体
２１ａ    上端部辺縁
２１ｂ    排水孔
２１ｃ    オーバーフロー排水孔
２２      排水口
２２１    ニップル
２２１ａ  本体
２２１ｂ  円孔
２２１ｃ  内筒
２２１ｄ  外筒
２２１ｅ  フランジ
２２１ｆ  間隙
２２２    パッキン
２２２ａ  円孔
２２３    押え板
２２３ａ  円孔
２２４    ナット
２２５    ボルト・ナット
２３      オーバーフロー排水口
２３１    オーバーフロー蛇口
２３１ａ  基部
２３１ｂ  フランジ
２３１ｃ  先端部
２３２    パッキン
２３３    パッキン
２３４    押え板
２３５    ナット
２４      オーバーフローホース
２４１    ソケット
３        給水ホース
３０      給水ホース
３１      巻回部
３１０    巻回部
３１１    ガード体
３１２    ガード体
３２      給水蛇口
３３      止水栓
３３ａ    リング
４        排水ホース
５        支板
５１      後方立設部分
５２      水平部分
５３      前方立設部分
６        受板
６１      受板
６２      受板
６３      取付板
６３ａ    長孔
６３ｂ    長孔
７        柱板
７１      把手
８        加熱装置
８０      コントロールボックス
８０１    ダイアル
８０２    作動ランプ
８０３    電源コード
８１      ダイアル
８２      作動ランプ
８３      電源コード
９１      鏡
９２      時計
ＡＪ      アジャスタ装置
Ｂ１      ベルト
Ｂ２      ベルト
Ｂ３      面ファスナ
Ｂ４      面ファスナ
ＣＶ      折り曲げ部分
Ｄ        電熱線
Ｇ        ゴム製キャップ
Ｈ１      円孔
Ｈ２      円孔
Ｐ        ポータブル洗面台
ｈ１      螺子孔
ｈ２      円孔
ｈ３      螺子孔
ｈ４      螺子孔
ｈ５      螺子孔
ｈ６      螺子孔
ｈ７      螺子孔
ｈ８      螺子孔
【図１】
0003147751.tif 000003
【図２】
0003147751.tif 000004
【図３】
0003147751.tif 000005
【図４】
0003147751.tif 000006
【図５】
0003147751.tif 000007
【図６】
0003147751.tif 000008
【図７】
0003147751.tif 000009
【図８】
0003147751.tif 000010